(57)【要約】      （修正有）【課題】各種の製品内の不快臭及び雑菌を除去すると共にカビの発生を防止して、製品内を衛生的かつ清潔に保持できる製品の清潔保持用器具を提供する。【解決手段】所望の製品内に出し入れ可能に収納して使用する製品の清潔保持用器具１であって、製品内に出し入れ可能な大きさの板状に形成した器具本体１０を備え、器具本体１０の一方又は両方の面に消臭剤、抗菌剤及び防カビ剤を含有する塗料よりなるコーティング材で塗膜層１１を形成する。器具１を製品内に収納することにより、塗料中の消臭剤、抗菌剤及び防止剤の各作用により、製品内の不快臭及び雑菌を除去すると共にカビの発生を防止して、製品内を衛生的かつ清潔に保持する。【選択図】図１
0003219463.tif 000002
【実用新案登録請求の範囲】
【請求項１】
所望の製品内に出し入れ可能に収納して使用する製品の清潔保持用器具であって、
前記製品内に出し入れ可能な所望の大きさの板状に形成した器具本体を備え、
前記器具本体の少なくとも一方の面に、消臭剤、抗菌剤及び防カビ剤を含有する塗料よりなるコーティング材で塗膜層が形成されている
ことを特徴とする製品の清潔保持用器具。
【請求項２】
請求項１に記載の製品の清潔保持用器具において、
前記製品が靴及びバッグであり、前記器具本体は前記靴及びバッグ内に出し入れ可能な所望の大きさの板状に形成されていることを特徴とする製品の清潔保持用器具。
【請求項３】
前記板状の器具本体は金属材で構成されていることを特徴とする請求項１又は２に記載の製品の清潔保持用器具。
【請求項４】
前記板状の器具本体はプラスチック材で構成されていることを特徴とする請求項１又は２に記載の製品の清潔保持用器具。
【請求項５】
前記板状の器具本体は木材で構成されていることを特徴とする請求項１又は２に記載の製品の清潔保持用器具。
【請求項６】
前記塗料がメラミン樹脂系塗料であることを特徴とする請求項１ないし５のいずれかに記載の製品の清潔保持用器具。
【請求項７】
前記消臭剤が無機系消臭剤であることを特徴とする請求項１ないし５のいずれかに記載の製品の清潔保持用器具。
【請求項８】
前記抗菌剤が無機系抗菌剤であることを特徴とする請求項１ないし５のいずれかに記載の製品の清潔保持用器具。
【請求項９】
前記防カビ剤が有機無機ハイブリッド防カビ剤であることを特徴とする請求項１ないし５のいずれかに記載の製品の清潔保持用器具。
【考案の詳細な説明】
【技術分野】
【０００１】
本考案は製品の清潔保持用器具に関する。さらに詳しくは、所望の製品内に出し入れ可能に収納し、前記製品内の不快臭及び各種の雑菌を防去すると共にカビの発生を防止して前記製品を清潔に保持する製品の清潔保持用器具に関する。本考案は、特に例えば靴やバッグ用等として好適である。
【背景技術】
【０００２】
例えば、靴は履くことにより、一般に不快臭が残っていると共に各種の雑菌が付着している場合が多い。さらに加え、シューズラックや靴入れ箱等に収容して置く場合には、カビが発生することが多く見受けられる。また、例えば各種のバッグ等についても使用後は靴と同様の問題が生じるおそれを有している。
【０００３】
従来、例えば靴においては、例えば特許文献１ないし３等の公報に記載されているように、消臭及び抗菌作用を具備する靴の中敷が一般に知られている。これらの中敷を使用することにより、上述した不快臭及び雑菌除去の問題は一応解消することができる。
【０００４】
しかし、靴の中敷は各靴のサイズに合わせて専用に形成されているので、サイズの異なる靴には使用できないと共に前記中敷を使用してもカビの発生の問題は残される。また、前記中敷は靴専用であり、靴以外の例えばバッグその他の製品に兼用して使用することはできない。
【０００５】
ところで、近時においては、スプレー式の消臭剤、抗菌剤及び防カビ剤が開発されている。これらのスプレー式によれば、所望の各種製品に兼用して使用することができる。しかし、スプレーにより所望の製品に消臭、抗菌及び防カビ作用（効果）を付与させるためには、三種類のスプレーを使用する必要があるため、作業に手間が掛る等の問題を有している。
【先行技術文献】
【特許文献】
【０００６】
【特許文献１】実用新案登録第３１９２８０９号公報
【特許文献２】実用新案登録第３０８５６６７号公報
【特許文献３】実用新案登録第３１９６３４２号公報
【考案の概要】
【考案が解決しようとする課題】
【０００７】
本考案は上記したような実情に鑑みてなされたもので、上述した問題を解消し、所望の製品内に出し入れ可能に収納することにより、前記各製品内の不快臭及び各種の雑菌を除去すると共にカビの発生を防止して前記各製品内を衛生的かつ清潔に保持し、また、所望の各種製品に兼用して使用可能な製品の清潔保持用器具を提供することを目的とするものである。
【課題を解決するための手段】
【０００８】
上記目的を達成するため、本考案は、所望の製品内に出し入れ可能に収納して使用する製品の清潔保持用器具であって、
前記製品内に出し入れ可能な所望の大きさの板状に形成した器具本体を備え、
前記器具本体の少なくとも一方の面に、消臭剤、抗菌剤及び防カビ剤を含有する塗料よりなるコーティング材で塗膜層が形成されていることを特徴とする。
【０００９】
本考案によれば、前記塗料には消臭剤、抗菌剤及び防カビ剤が含有されているので、本考案の前記器具は消臭作用（効果）、抗菌作用（効果）、及び防カビ作用（効果）を具備している。したがって、前記器具を収納した製品は、この製品内の不快臭及び各種の雑菌は除去されると共にカビの発生を防止して前記製品内を衛生的、かつ清潔に保持される。また、本考案の前記器具は所望の製品内に出し入れ可能に収納して使用するように構成されているので、前記器具を出し入れ可能に収納可能な所望の各種の製品に兼用して使用することができる。
【００１０】
本考案において、前記板状の器具本体は、その構成素材は特に限定するものではなく、例えば金属材、プラスチック材、或いは木材で構成したものを採用することができる。
【００１１】
本考案において、前記塗料の種類は特に限定するものではなく、メラミン樹脂系、アクリル樹脂系、或いはウレタン樹脂系等の塗料を選択して採用することができる。また、前記塗料の色も特に限定するものではなく、所望に応じて任意の色を選択して採用することができる。
【００１２】
本考案において、前記消臭剤は、その素材は特に限定するものではなく、無機系消臭剤や有機系消臭剤を選択して採用することができる。
【００１３】
本考案において、前記抗菌剤の種類も特に限定するものではなく、無機系抗菌剤及び有機系抗菌剤を選択して採用することができる。
【００１４】
本考案において、前記防カビ剤の素材も特に限定するものではなく、無機系防カビ剤、有機系防カビ剤、或いは有機無機ハイブリッド防カビ剤を選択して採用することができる。
【００１５】
本考案において、前記製品が靴又はバッグであり、前記器具本体は前記靴及びバッグ内に出し入れ可能な大きさの板状に形成した構成を採用することができる。
【００１６】
本考案において、前記塗膜層は前記器具本体の一方又は両方の面に形成する構成を採用することができる。
【考案の効果】
【００１７】
本考案によれば次の用な効果を奏する。
（１）本考案の製品の清潔保持用器具は、前記器具本体の少なくとも一方の面に、消臭剤、抗菌剤及び防カビ剤を含有する塗料よりなるコーティング材で塗膜層を形成して構成されているので、前記器具は消臭効果、抗菌効果及び防カビ効果を具備している。したがって、前記器具を製品内に収納することにより、この製品内の不快臭及び各種の雑菌は前記消臭剤及び抗菌剤の作用により除去されると共に前記防カビ剤の作用によりカビの発生を防止して前記製品を衛生的かつ、清潔に保持することができる。
（２）前記器具本体は所望の製品内に出し入れ可能な所望の大きさの板状に形成されているので、本考案の前記器具は所望の各種製品に兼用して使用することができる。
（３）本考案の前記器具は所望の製品内に出し入れ可能に収納して使用するように構成されているので、使用作業を簡単に行なうことができる。
【図面の簡単な説明】
【００１８】
【図１】本考案の一実施形態の製品の清潔保持用器具の構成を概略的に示す図であって、同図（ａ）は説明斜視図、同図（ｂ）は同図（ａ）のＡ−Ａ線説明断面図、同図（ｃ）は同図（ａ）のＢ−Ｂ線説明断面図である。
【図２】前記清潔保持用器具の使用状態の一例を示す説明図である。
【図３】本考案の他の実施形態の製品の清潔保持用器具の構成を概略的に示す図であって、同図（ａ）は説明斜視図、同図（ｂ）は同図（ａ）のＣ−Ｃ線説明断面図である。
【考案を実施するための形態】
【００１９】
以下、図面を参照して本考案の製品の清潔保持用器具の実施形態の一例について説明する。
【００２０】
図１は、本考案の一実施形態（実施形態１）の製品の清潔保持用器具を示す。
【００２１】
本考案の製品の清潔保持用器具は、所望の製品内に出し入れ可能な大きさの板状に形成した器具本体の少なくとも一方の面に、消臭剤、抗菌剤及び防カビ剤を含有する塗料よりなるコーティング材で塗膜層を形成して構成されている。
【００２２】
図１に示すように、本実施形態（実施形態１）の製品の清潔保持用器具１は、各種の靴やバッグその他の各種の製品内に出し入れ可能な所望な大きさの板状に形成した器具本体１０の両方の面の全域に消臭剤、抗菌剤及び防カビ剤を含有する塗料よりなるコーティング材で塗膜層１１、１１が形成されている。
【００２３】
前記器具本体１０の構成素材は特に限定するものではなく、鉄板，アルミ合金，銅板，ステンレスその他の金属材、ABS樹脂，PS樹脂，PC樹脂，PP樹脂，塩ビ（ポリ塩化ビニル），その他のプラスチック材、或いは本材等で構成したものを採用することができる。本実施形態（実施形態１）の器具本体１０は金属材（鉄板）で構成したものを採用している。
【００２４】
器具本体１０は上述したように所望の製品に出し入れ可能な所望の大きさの板状に形成される。本実施形態の器具本体１０は、横巾約５．０ｃｍないし約６．０ｃｍ、縦巾約８．０ｃｍないし約９．０ｃｍ、肉厚約０．５ミリないし０，７ミリ程度の略長方形状に形成されている。但し、上記範囲内に限定されるものでない。また、形状も長方形に限定するものではなく、円形や楕円形、或いはハート形その他の任意の形状に変更可能である。
【００２５】
前記塗膜層１１を形成するコーティング材として使用する塗料は、メラミン樹脂系、アクリル樹脂系、或いはウレタン樹脂系等の塗料から任意に選択して採用できる。本実施形態ではメラミン樹脂系の塗料を採用している。また、前記塗料のカラー（色）は黒色その他の任意の色を選択することができる。なお、前記塗料は希釈材（シンナー等）で適当に希釈して使用してもよい。
【００２６】
前記塗料に含有する消臭剤は市販のものを任意に選択して採用できる。なお、例えば平均粒径約１μｍないし約１０μｍ程度の粉末状の無機系消臭剤を採用するのが好ましい。本実施形態では、消臭剤として、東亜合成株式会社製の無機系消臭剤（商品名：ケスモン：登録商標）を採用している。この消臭剤は化学吸着タイプの無機系消臭剤である。
【００２７】
前記塗料に含有する抗菌剤も市販のものを任意に選択して採用できるが、消臭剤と同様に、例えば平均粒径約１μｍないし約１０μｍ程度の粉末状の無機系抗菌剤を選択して採用するのが好ましい。本実施形態では、抗菌剤として、東亜合成株式会社製の無機系抗菌剤（商品名：ノバロン：登録商標）を採用している。この抗菌剤は亜鉛を抗菌成分とする無機抗菌剤である。この無機抗菌剤は、細菌（雑菌）の分裂及び増殖を阻止する作用効果がある。また、細菌（雑菌）を死滅させる作用もある。そのため、細菌に起因して発生する悪臭に対する消臭効果も発揮する。
【００２８】
前記塗料に含有する防カビ剤も市販のものを任意に選択して採用できるが、消臭剤及び抗菌剤と同様に例えば平均粒径約１μｍないし約１０μｍ程度の粉末状の防カビ剤を採用するのが好ましい。本実施形態では、防カビ剤として、東亜合成株式会社製の有機／無機ハイブリット防カビ剤（商品名：カビノン・登録商標）を採用している。この防カビ剤は、無機層状化合物に防カビ成分をインターカレートした有機無機ハイブリット防カビ剤である。ハイブリット化することにより、有機系防カビ剤では得にくい耐熱性、耐水性、徐方性、耐薬品性などの特性を有し、各種のカビの発生を防止する効果を発揮する。
【００２９】
前記塗料に対する前記消臭剤、抗菌剤及び防カビ剤の配合割合は特に限定するものではないが、例えば、前記塗料に対し、前記消臭剤を約０．５％ないし約１．５％、前記抗菌剤を約０．５％ないし約１．５％、及び前記防カビ剤を約０．５％ないし約１．５％程度の範囲を挙げることができる。
【００３０】
前記消臭剤、抗菌剤及び防カビ剤を前記塗料に対して上記配合比で含有させることにより、期待した所期の目的を達成することが判明した。なお、前記塗料に対する前記消臭剤、抗菌剤及び防カビ剤の配合の割合は上記範囲内に限定されるものではない。
【００３１】
本実施形態では、前記塗料に対し、前記消臭剤、抗菌剤及び防カビ剤を、それぞれ約１．０％の割合で添加し、撹拌混合して前記コーティング材を調製した。
【００３２】
前記塗膜層１１の形成手段は特に限定するものではないが、例えば焼付け塗装、静電塗装、吹付け塗装、或いは浸漬（ドブ漬）等により行える。
【００３３】
具体的には、前記例示した方法により前記コーティング材を器具本体１０に塗付した後、適当な温度（例えば約１５０℃〜約１６５℃）で所望時間焼付け加工する。これにより、器具本体１０の所定部（本実施形態では本体１の両方の面の全面）に塗膜層１１が形成される。塗膜層１１の膜厚は例えば約１０μｍ〜約２５μｍ程度になる。本実施形態では、この焼付け方法を採用している。
【００３４】
或いは、前記例示した方法により、前記コーティング材を器具本体１０に塗付した後、適当な温度（例えば約７０℃〜約１５０℃）で適当な時間（例えば約１０分〜約３０分）乾燥する。これにより、器具本体１０の所定部（本実施形態では器具本体の両方の面の全面）に塗膜層１１が形成される。塗膜層１１の膜厚は例えば約１０μｍ〜約２５μｍ程度になる。前記膜厚は前記塗料の上述した希釈度合等により多少の差異が生じる。なお、前記塗膜の形成は一度塗り或いは数回重ね塗りにより行える。
【００３５】
本実施形態は上述したように前記コーティング材を器具本体１０に所望の温度（約１６０℃）で焼付ける焼付け加工（塗装）方法を採用してある。
【００３６】
上記のように、器具本体１０の少なくとも一方の面（本実施形態では両方の面）に前記塗料よりなるコーティング材で塗膜層１１を形成することにより、前記塗料には消臭剤、抗菌剤及び防カビ剤が含有されているので、器具本体１０は消臭、抗菌及び防カビの各効果を具備する。また、前記器具本体１０は所望の製品内に出し入れ可能な所望の大きさの板状に形成されている。
【００３７】
本実施形態の製品の清潔用器具１は、前記器具本体１０の所望の面（本実施形態では両方の面）に前記塗料よりなるコーティング材で塗膜層１１を形成して構成されているので、前記器具１は消臭効果、抗菌効果及び防カビ効果を具備する。したがって、前記器具１を短靴，ブーツ，婦人靴，スニーカー，雨靴その他の所望の各靴製品、ハンドバッグ，ボストンバッグその他所望の各バッグ製品、その他の所望の製品内に出し入れ可能に収納することにより、前記各製品内の不快臭及び各種の雑菌（細菌）は除去されると共にカビの発生を防止して前記各製品内を衛生的、かつ、清潔に保持することができる。
【００３８】
なお、本実施形態のように、器具本体１０を金属材で構成した場合には、所望に応じて前記塗料で塗装を行う前に器具本体１０の被塗装面を下地処理する。また、器具本体の構成素材として木材を採用した場合には、前記塗料を複数回重ね塗りする手法を採用するのが好ましい。これにより、初回の塗装が下地処理材（剤）になる。器具本体を木材或いはプラスチック材で構成した場合においても金属材で構成したものと同様の作用効果を奏する。
【００３９】
本実施形態（実施形態１）の製品の清潔保持用器具１は上記のように構成され、所望の製品内に出し入れ可能に収納して使用するものである。これより、上述した作用効果を奏する製品の清潔保持用器具を提供することができる。
【００４０】
次に本実施形態の前記清潔保持用器具１の使用状態の一例について、図２を参照して説明する。図２には、本実施形態の前記器具１を革製や合成皮革製等の短靴２に使用する使用例が開示されている。
【００４１】
前記器具１を靴２に使用する場合には、図２に示すように、前記器具１を靴２の履き口２０（足の出し入れ口）から靴２内に出し入れ可能に収納して使用される。これにより、靴２内の不快臭及び各種の雑菌（細菌）は塗膜層１１の塗料中の消臭剤及び抗菌剤の消臭及び抗菌作用（効果）により除去されると共に防カビ剤の防カビ作用（効果）にカビの発生を防止して、靴２内を衛生的、かつ、清潔に保持することができる。
【００４２】
前記器具１を靴２に使用する場合には、靴２を履く際に前記器具１を靴２から取り出して履靴する。
【００４３】
また、前記器具１を所望の各種のバッグ（図示せず）に使用する場合においても前記器具１をバッグの開閉口部からバッグ内に出し入れ可能に収納して使用する。これにより、靴１と同様にバッグ内の不快臭及び各種の雑菌は消臭剤及び抗菌剤の作用により除去されると共に防カビ剤の作用によりカビの発生を防止して、バッグ内を衛生的、かつ、清潔に保持することができる。
【００４４】
前記容器１をバッグに使用する場合には、前記器具１は所望時にバッグから取り出す。なお、前記器具１をバッグ以外の所望製品に使用する場合においてもバッグと同様に使用することができる。
【００４５】
図３は本考案の他の実施形態（実施形態２）の製品の清潔保持用器具を示す。この実施形態２において、実施形態１で既に説明した構成と共通する構成部等には同一符号を付して説明を省略する。
【００４６】
実施形態２の製品の清潔保持用器具１Ａは、前記塗膜層１１の形成部位の構成に特徴がある。
【００４７】
実施形態２の製品の清潔保持用器具１Ａは前記器具本体１０の一方の面の全域に前記塗料よりなるコーティング材で塗膜層１１を形成して構成されている。他の構成は実施形態１と同様である。
【００４８】
実施形態２の製品の清潔保持用器具は上記のように構成され、実施形態１と同様に使用するものである。これにより実施形態１と同様の作用効果を奏する。
【００４９】
なお、上記実施形態では、本考案の製品の清潔保持用器具を靴及びバッグについて使用する例について説明したが、本考案の前記器具は靴及びバッグに限定するものではなく、本考案の前記器具を出し入れ可能に収納できる所望の各種の製品に使用できるものである。
【００５０】
また、上記した各実施形態は一例として開示したもので、本考案は上記の実施形態に限定されるものではなく、実用新案登録請求の範囲に記載の技術思想を越脱しない範囲内において任意に変更可能なものである。
【符号の説明】
【００５１】
１、１Ａ    製品の清潔保持用器具
１０        器具本体
１１        塗膜層
【図１】
0003219463.tif 000003
【図２】
0003219463.tif 000004
【図３】
0003219463.tif 000005